(57)【要約】【課題】利用者が入力した処理条件に応じて実行した画像処理において障害が発生した場合に、障害が発生した装置から離れて、処理条件を再度入力して画像処理を再度実行させることができる画像処理装置、画像処理システム及びプログラムを提供すること。【解決手段】利用者による処理条件の入力を受付け、受付けた前記処理条件に応じて、画像処理を実行し、前記画像処理において障害が発生した場合に再度、処理条件の入力を要請する再入力要請情報を情報端末４に送信し、情報端末４から、再度入力された処理条件を指定する処理条件指定情報を受信して、前記処理条件指定情報により指定される処理条件に応じて、前記画像処理を再度実行する画像処理装置２。【選択図】図１
2008177995.tif 000002
【特許請求の範囲】
【請求項１】
利用者による処理条件の入力を受付ける入力受付手段と、
前記入力受付手段が受付けた前記処理条件に応じて、画像処理を実行する処理手段と、
前記処理手段による前記画像処理において障害が発生した場合に再度、処理条件の入力を要請する再入力要請情報を外部装置に送信する再入力要請情報送信手段と、
前記外部装置から、再度入力された処理条件を指定する処理条件指定情報を受信する処理条件指定情報受信手段と、
前記処理手段に、前記処理条件指定情報により指定される処理条件に応じて、前記画像処理を再度実行させる再実行手段と、
を含むことを特徴とする画像処理装置。
【請求項２】
前記入力受付手段は、前記処理条件とともに前記再入力要請情報の送信先の外部装置を指定する送信先指定情報の入力を受付け、
前記再入力要請情報送信手段は、前記再入力要請情報を、前記送信先指定情報により指定される外部装置に送信する、
ことを特徴とする請求項１に記載の画像処理装置。
【請求項３】
前記再入力要請情報送信手段は、前記再入力要請情報に前記入力受付手段が受付けた処理条件を含めて送信する、
ことを特徴とする請求項１又は２に記載の画像処理装置。
【請求項４】
原稿上に記録された原稿画像を読み取って前記原稿画像を表す画像情報を生成する画像情報生成手段をさらに含み、
前記入力受付手段は、前記処理条件として、前記画像情報の送信先を指定する画像送信先指定情報の入力を受付け、
前記処理手段は、前記画像情報を、前記画像送信先指定情報により指定される送信先に送信し、
前記再入力要請情報送信手段は、前記処理手段による前記画像情報の送信において障害が発生した場合に、前記再入力要請情報を前記外部装置に送信し、
前記再実行手段は、前記処理条件指定情報により前記画像情報の送信先が指定される場合に、前記処理手段に、前記処理条件指定情報により指定される送信先に前記画像情報を再度送信させる、
ことを特徴とする請求項１から３のいずれかに記載の画像処理装置。
【請求項５】
前記入力受付手段は、前記処理条件として、前記画像情報の変換形式を指定する変換形式指定情報の入力を受付け、
前記処理手段は、前記画像情報を前記変換形式指定情報により指定される変換形式で変換して送信し、
前記再実行手段は、前記処理条件指定情報により前記画像情報の変換形式が指定される場合に、前記処理手段に、前記処理条件指定情報により指定される変換形式で前記画像情報を変換して再度送信させる、
ことを特徴とする請求項４に記載の画像処理装置。
【請求項６】
画像処理装置と情報端末を有した画像処理システムにおいて、
前記画像処理装置は、
利用者による処理条件の入力を受付ける入力受付手段と、
前記入力受付手段が受付けた前記処理条件に応じて、画像処理を実行する処理手段と、
前記処理手段による前記画像処理において障害が発生した場合に再度、処理条件の入力を要請する再入力要請情報を前記情報端末に送信する再入力要請情報送信手段と、
前記情報端末から、再度入力された処理条件を指定する処理条件指定情報を受信する処理条件指定情報受信手段と、
前記処理手段に、前記処理条件指定情報により指定される処理条件に応じて、前記画像処理を再度実行させる再実行手段と、
を含み、
前記情報端末は、
前記再入力要請情報を受信する再入力要請情報受信手段と、
前記再入力要請情報受信手段で受信した前記再入力要請情報に基づいて前記処理条件の入力を受付ける処理条件入力受付手段と、
前記処理条件入力受付手段が受付けた前記処理条件を指定する処理条件指定情報を前記画像処理装置に送信する処理条件指定情報送信手段と、
を含むことを特徴とする画像処理システム。
【請求項７】
利用者による処理条件の入力を受付ける入力受付手段、
前記入力受付手段が受付けた前記処理条件に応じて、画像処理を実行する処理手段、
前記処理手段による前記画像処理において障害が発生した場合に再度、処理条件の入力を要請する再入力要請情報を外部装置に送信する再入力要請情報送信手段、
前記外部装置から、再度入力された処理条件を指定する処理条件指定情報を受信する処理条件指定情報受信手段、
前記処理手段に、前記処理条件指定情報により指定される処理条件に応じて、前記画像処理を再度実行させる再実行手段、
としてコンピュータを機能させるプログラム。
【発明の詳細な説明】
【技術分野】
【０００１】
本発明は、画像処理装置、画像処理システム及びプログラムに関する。
【背景技術】
【０００２】
画像処理装置で発生した障害の対処策の情報をネットワークを介して利用者の情報端末から閲覧できるようにしたシステムがある。例えば、特許文献１には、画像処理装置で障害が発生した場合に、該障害の対処策の詳細な説明を含むウェブページのＵＲＬを利用者に通知することにより、利用者に自身の情報端末から障害の対処策の情報を閲覧できるようにした障害通知システムが紹介されている。
【特許文献１】特開２００２−２７８７３８号公報
【発明の開示】
【発明が解決しようとする課題】
【０００３】
本発明の目的は、利用者が入力した処理条件に応じて実行した画像処理において障害が発生した場合に、障害が発生した装置から離れて、処理条件を再度入力して画像処理を再度実行させることができる画像処理装置、画像処理システム及びプログラムを提供することにある。
【課題を解決するための手段】
【０００４】
請求項１の発明は、利用者による処理条件の入力を受付ける入力受付手段と、前記入力受付手段が受付けた前記処理条件に応じて、画像処理を実行する処理手段と、前記処理手段による前記画像処理において障害が発生した場合に再度、処理条件の入力を要請する再入力要請情報を外部装置に送信する再入力要請情報送信手段と、前記外部装置から、再度入力された処理条件を指定する処理条件指定情報を受信する処理条件指定情報受信手段と、前記処理手段に、前記処理条件指定情報により指定される処理条件に応じて、前記画像処理を再度実行させる再実行手段と、を含むことを特徴とする。
【０００５】
請求項２の発明は、請求項１の発明において、前記入力受付手段は、前記処理条件とともに前記再入力要請情報の送信先の外部装置を指定する送信先指定情報の入力を受付け、前記再入力要請情報送信手段は、前記再入力要請情報を、前記送信先指定情報により指定される外部装置に送信する、ことを特徴とする。
【０００６】
請求項３の発明は、請求項１又は２の発明において、前記再入力要請情報送信手段は、前記再入力要請情報に前記入力受付手段が受付けた処理条件を含めて送信する、ことを特徴とする。
【０００７】
請求項４の発明は、請求項１から３のいずれかの発明において、原稿上に記録された原稿画像を読み取って前記原稿画像を表す画像情報を生成する画像情報生成手段をさらに含み、前記入力受付手段は、前記処理条件として、前記画像情報の送信先を指定する画像送信先指定情報の入力を受付けて、前記処理手段は、前記画像情報を、前記画像送信先指定情報により指定される送信先に送信し、前記再入力要請情報送信手段は、前記処理手段による前記画像情報の送信において障害が発生した場合に、前記再入力要請情報を前記外部装置に送信し、前記再実行手段は、前記処理条件指定情報により前記画像情報の送信先が指定される場合に、前記処理手段に、前記処理条件指定情報により指定される送信先に前記画像情報を再度送信させる、ことを特徴とする。
【０００８】
請求項５の発明は、請求項４の発明において、前記入力受付手段は、前記処理条件として、前記画像情報の変換形式を指定する変換形式指定情報の入力を受付けて、前記処理手段は、前記画像情報を前記変換形式指定情報により指定される変換形式で変換して送信し、前記再実行手段は、前記処理条件指定情報により前記画像情報の変換形式が指定される場合に、前記処理手段に、前記処理条件指定情報により指定される変換形式で前記画像情報を変換して再度送信させる、ことを特徴とする。
【０００９】
請求項６の発明は、画像処理装置と情報端末を有した画像処理システムにおいて、前記画像処理装置は、利用者による処理条件の入力を受付ける入力受付手段と、前記入力受付手段が受付けた前記処理条件に応じて、画像処理を実行する処理手段と、前記処理手段による前記画像処理において障害が発生した場合に再度、処理条件の入力を要請する再入力要請情報を前記情報端末に送信する再入力要請情報送信手段と、前記情報端末から、再度入力された処理条件を指定する処理条件指定情報を受信する処理条件指定情報受信手段と、前記処理手段に、前記処理条件指定情報により指定される処理条件に応じて、前記画像処理を再度実行させる再実行手段と、を含み、前記情報端末は、前記再入力要請情報を受信する再入力要請情報受信手段と、前記再入力要請情報受信手段で受信した前記再入力要請情報に基づいて前記処理条件の入力を受付ける処理条件入力受付手段と、前記処理条件入力受付手段が受付けた前記処理条件を指定する処理条件指定情報を前記画像処理装置に送信する処理条件指定情報送信手段と、を含むことを特徴とする。
【００１０】
請求項７の発明は、利用者による処理条件の入力を受付ける入力受付手段、前記入力受付手段が受付けた前記処理条件に応じて、画像処理を実行する処理手段、前記処理手段による前記画像処理において障害が発生した場合に再度、処理条件の入力を要請する再入力要請情報を外部装置に送信する再入力要請情報送信手段、前記外部装置から、再度入力された処理条件を指定する処理条件指定情報を受信する処理条件指定情報受信手段、前記処理手段に、前記処理条件指定情報により指定される処理条件に応じて、前記画像処理を再度実行させる再実行手段としてコンピュータを機能させることを特徴とする。
【発明の効果】
【００１１】
請求項１、６及び７の発明によれば、利用者が入力した処理条件に応じて実行した画像処理において障害が発生した場合に、利用者は、処理条件の再度の入力及び画像処理の再度の実行を障害が発生した装置から離れて指示することができる。
【００１２】
請求項２の発明によれば、利用者は、処理条件の再度の入力及び画像処理の再度の実行を予め指定した装置から指示することができる。
【００１３】
請求項３の発明によれば、利用者は、入力した処理条件を利用しながら、処理条件を再度入力することができる。
【００１４】
請求項４の発明によれば、利用者が指定した送信先への画像情報の送信において障害が発生した場合に、利用者は、送信先の再度の入力及び画像情報の再度の送信を障害が発生した装置から離れて指示することができる。
【００１５】
請求項５の発明によれば、利用者が指定した変換形式での画像情報の送信において障害が発生した場合に、利用者は、変換形式の再度の入力及び画像情報の再度の送信を障害が発生した装置から離れて指示することができる。
【発明を実施するための最良の形態】
【００１６】
本発明の実施の形態について図面を参照しながら説明する。図１は本発明の実施の形態に係る画像送信システム１００の構成図の一例である。同図に示すように、画像送信システム１００は、画像処理装置２と、利用者の情報端末４と、少なくとも１つの画像受信装置６と、を含む。画像処理装置２と情報端末４とは、例えば、ローカルエリアネットワーク８を介して相互に通信可能に接続されている。また、画像処理装置２と画像受信装置６とは、ネットワーク１０を介して通信可能に接続されている。ここで、ネットワーク１０としては、例えば、電話回線、インターネット、ローカルエリアネットワーク等を用いることができる。本実施形態では、ネットワーク１０は、電話回線であるものとする。
【００１７】
次に、各装置について具体的に説明する。画像処理装置２は、例えば、画像読取機能とファクシミリ機能とを備えた複合機として実現される。図２は、画像処理装置２の構成ブロック図の一例である。同図に示すように、画像処理装置２は、制御部２１と、記憶部２２と、ストレージ部２３と、画像読取部２４と、操作部２５と、通信部２６とを含む。そして、上記各部は、バスを介して通信可能となっている。なお、上記各部以外にも、不図示の画像形成部等を含む。
【００１８】
以下、上記各部について説明する。制御部２１としては、例えば、ＣＰＵ等を用いることができ、制御部２１は、記憶部２２に格納されているプログラムに従って動作する。制御部２１が実行する処理については、後に具体的に説明する。
【００１９】
記憶部２２としては、例えば、ＲＡＭやＲＯＭ等を用いることができ、記憶部２２は、制御部２１によって実行されるプログラムを格納している。また、記憶部２２は、制御部２１の処理の実行に必要となる種々の情報を保持するワークメモリとしても動作する。なお、上記プログラムは、ＣＤ−ＲＯＭ、ＤＶＤ−ＲＯＭ等の情報記憶媒体から供給されるものであってもよいし、通信媒体（例えば、通信回線、通信システムのように、一時的または流動的にプログラムを保持する媒体）から供給されるものであってもよい。
【００２０】
また、ストレージ部２３としては、例えば、ハードディスク等を用いることができ、ストレージ部２３は、各種情報を記憶する。画像読取部２４としては、例えば、イメージスキャナを用いることができる。画像読取部２４は、制御部２１からの指示に従い、原稿の原稿画像を読み取るとともに読取結果を記憶部２２に出力する。なお、読取結果は、ビットマップ情報として表される。
【００２１】
操作部２５は、例えば、画像処理装置２の側面に設けられたタッチパネルとして実現される。操作部２５は、入力された情報を表示する表示部にもなっている。
【００２２】
通信部２６としては、例えば、モデム及びネットワークインターフェイスカードを用いることができる。通信部２６は、ローカルネットワーク８やネットワーク１０を介して情報を受信する。また、通信部２６は、ローカルネットワーク８やネットワーク１０を介して情報を送信する。なお、通信部２６は、ネットワーク１０を介して情報を送信する場合、該情報をデジタル信号からアナログ信号に変調し、一方、ネットワーク１０を介して情報を受信する場合、該情報をアナログ信号からデジタル信号に復調する。以上が、画像処理装置２の各部の内容である。
【００２３】
情報端末４としては、例えば、画像処理装置２と同一拠点（例えば、同一の建物）に設置された、利用者のパーソナルコンピュータを用いることができる。情報端末４は、画像処理装置２からローカルネットワーク８を介して受信した情報をディスプレイに表示する。また、情報端末４は、ローカルエリアネットワーク８を介して各種情報を画像処理装置２に送信する。なお、情報端末４として携帯電話等の携帯用端末を用いることもできる。
【００２４】
画像受信装置６としては、例えば、画像処理装置２及び情報端末４とは別拠点に設置された、ファクシミリや複合機を用いることができる。画像受信装置６は、ネットワーク１０を介して画像情報を受信すると、該画像情報が表す画像を紙媒体に形成出力する。以上が各装置の内容である。
【００２５】
次に、画像処理装置２の制御部２１が行う処理について説明する。ここでは、利用者が画像処理装置２に原稿画像を読取らせ、ファクシミリ機能を用いて画像受信装置６に原稿画像を送信する場合を想定して説明する。
【００２６】
この場合、利用者は、画像読取部２４の所定箇所に原稿を設置する。そして、利用者は、タッチパネルを用いて送信条件を入力するとともに原稿画像の送信指示を行う。送信条件とは、原稿画像を送信する際の条件であり、例えば、原稿画像の送信先のあて先（すなわち、送信先の電話番号）と、原稿画像を送信する際の解像度、原稿画像を送信する際の画像サイズ、原稿画像を送信する際のカラーモード（すなわち、原稿画像をカラー、グレースケール、白黒のいずれで送信するか）などである。本実施の形態では、利用者は、送信先の電話番号と、解像度と、画像サイズと、カラーモードとを入力するものとし、特に、原稿画像の解像度と、画像サイズと、カラーモードについては、それぞれ、予め定められた候補のうちから所望のものを選択するものとする。
【００２７】
操作部２５は、利用者が入力した送信条件と原稿画像の送信指示とを受付ける。そして、制御部２１は、操作部２５で受付けた情報に基づいて、例えば、図３のフローチャート図に示す処理を実行する。
【００２８】
すなわち、制御部２１は、画像読取部２４に原稿画像を読取らせ、画像読取部２４に読取結果を取得させる（Ｓ１０１）。そして、制御部２１は、Ｓ１０１のステップで取得された読取結果を、該読取結果を一意に識別するジョブＩＤと関連付けて記憶部２２に記憶させる（Ｓ１０２）。また、制御部２１は、Ｓ１０２のステップで記憶された読取結果に、操作部２５が受付けた送信条件（すなわち、送信先の電話番号、解像度、画像サイズ、カラーモード）も関連付けて記憶部２２に記憶させる（図４参照）。
【００２９】
そして、制御部２１は、Ｓ１０１のステップで取得された読取結果を操作部２５が受け付けた送信条件に従って変換することにより、原稿画像の画像情報を生成する（Ｓ１０３）。具体的には、制御部２１は、読取結果を変換することにより、操作部２５が受付けた解像度、画像サイズ、カラーモードのビットマップ情報として原稿画像の画像情報を生成する。
【００３０】
そして、制御部２１は、ネットワーク１０を介して、操作部２５が受け付けた電話番号を有する画像受信装置６に、Ｓ１０３のステップで生成した画像情報を送信する（Ｓ１０４）。すなわち、制御部２１は、操作部２５が受け付けた電話番号にダイヤルすることにより画像受信装置６との接続を確立した後、画像情報を送信する。
【００３１】
制御部２１は、Ｓ１０４のステップにおいて画像情報の送信が正常に完了したか否かを判断する（Ｓ１０５）。例えば、制御部２１は、画像情報の受信が完了した旨を表す所定の信号（以下、完了信号）を通信部２６が受信した場合に、画像情報の送信が正常に完了したものと判断する。一方、制御部２１は、所定時間内に通信部２６が完了信号を受信しない場合や、完了信号とは異なる所定の異常信号を通信部２６が受信した場合に、画像情報の送信に異常が発生したものと判断する。異常信号には、例えば、ダイヤル先が話し中の状態（いわゆるビジー状態）である旨を表す信号や、ダイヤル先が画像情報を受信できない旨を表す信号などがある。また、例えば、制御部２１は、画像情報の情報量が所定の閾値を越えたため画像情報の送信を中止した場合にも、画像情報の送信に異常が発生したものと判断するようにしてもよい。
【００３２】
そして、制御部２１は、画像情報の送信が正常に完了したと判断した場合（Ｓ１０５のＮＯ）、制御部２１はＳ１０２のステップで記憶された読取結果を消去し（Ｓ１０６）、処理を終了する。
【００３３】
ところで、原稿画像の読み取りに要する時間は、一般に、画像情報の送信に要する時間よりも小さい。そのため、利用者が画像処理装置２を利用する際、原稿画像の読み取りが完了した段階で利用者が画像処理装置２から離れてしまうことがよくある。この場合、利用者は、画像情報の送信に異常が発生したことを気づかないばかりか、仮に異常の発生に気づいたとしても、再度、画像処理装置２まで原稿を持参し、原稿画像の読取と送信を指示しなければならない。そこで、制御部２１は、画像情報の送信に異常が発生したものと判断した場合（Ｓ１０５のＹＥＳ）、以下に説明するＳ１０７のステップを実行する。
【００３４】
すなわち、制御部２１は、利用者に異常の発生を通知する処理を行う（Ｓ１０７）。ここでは、制御部２１は、利用者の情報端末４に、異常の発生を通知する電子メールを送信する。ここで、利用者のメールアドレスは、送信条件の入力の際に利用者が併せて入力したものであってもよいし、所定のメールアドレスであってよい。なお、制御部２１は、Ｓ１０７のステップにおいて、Ｓ１０２のステップにおいて記憶されたジョブＩＤに一意に対応するＨＴＭＬドキュメントを生成し、ストレージ部２３に記憶することも行う。ここにおいて、制御部２１は、上記ジョブＩＤの文字列を含むように上記ＨＴＭＬドキュメントの名称を決定しておく。以上が図３のフローチャート図に示す処理の内容である。
【００３５】
図５は、上記電子メールの一例である。同図に示すように、電子メールは、利用者に異常の発生を通知するとともに送信条件の再入力を促す文面と、上記ＨＴＭＬドキュメントのＵＲＬとを含む。利用者は、この電子メールにより異常の発生を認識し、送信条件を再入力すべく、例えば、ウェブブラウザを用いて上記ＵＲＬにアクセスする。
【００３６】
制御部２１は、ＨＴＭＬドキュメントの送信要求を通信部２６が受信したか否かを監視している。そして、制御部２１は、ＨＴＭＬドキュメントの送信要求を通信部２６が受信した場合、ＨＴＭＬドキュメントを要求元に返信する。なお、制御部２１は、該ＨＴＭＬドキュメントの名称に含まれるジョブＩＤを特定し、該ジョブＩＤに関連付けられた送信条件を記憶部２２から読み出して要求元に送信することも行う。
【００３７】
図６は、ＨＴＭＬドキュメントを受信した情報端末４のディスプレイに表示されるインターフェイスの一例である。同図に示すように、このインターフェイスは、各送信条件を再入力するための入力欄３０と、指示ボタン５０とを含む。そして、各入力欄３０には、ＨＴＭＬドキュメントとともに受信した送信条件が予め入力されている。利用者は、例えば、ある入力欄３０に予め入力されている送信条件に誤りがある場合に、該入力されている送信条件を修正する。そして、利用者は、各送信条件の再入力を完了すると、指示ボタン５０をクリックする。そして、情報端末４は、各入力欄３０に入力された送信条件を含む送信条件指定情報を画像処理装置２に送信する。なお、情報端末４は、送信条件指定情報に加えて、ＨＴＭＬドキュメントの名称に含まれるジョブＩＤも送信する。
【００３８】
ここで、送信条件指定情報を制御部２１が受信した場合に実行する処理について図７のフローチャート図を参照しながら説明する。制御部２１は、送信条件指定情報を通信部２６が受信した否かを監視している（Ｓ２０１）。そして、制御部２１は、送信条件指定情報を通信部２６が受信した場合（Ｓ２０１のＹＥＳ）、通信部２６が該送信条件指定情報とともに受信したジョブＩＤに関連付けられた読取結果を記憶部２２から読み出す（Ｓ２０２）。
【００３９】
そして、制御部２１は、Ｓ２０２のステップで読み出した読取結果を送信条件指定情報に含まれる各送信条件に従って変換することにより、原稿画像の画像情報を生成する（Ｓ２０３）。具体的には、制御部２１は、読取結果を変換することにより、送信条件指定情報に含まれる解像度、画像サイズ、カラーモードのビットマップ情報として原稿画像の画像情報を生成する。
【００４０】
そして、制御部２１は、Ｓ２０３のステップで生成した画像情報を、送信条件指定情報に含まれる電話番号の画像受信装置６に送信する（Ｓ２０４）。すなわち、制御部２１は、送信条件指定情報に含まれる電話番号にダイヤルして画像受信装置６との接続を確立した後、画像情報を送信する。以上が、図７のフローチャート図に示す処理の内容である。
【００４１】
以上のように、画像送信システム１００では、画像処理装置２は原稿画像を読み取って読取結果を取得する。そして、画像処理装置２は、利用者が入力した送信条件に応じて、読取結果を変換して原稿画像を表す画像情報を生成する。また、画像情報の生成に加え、画像処理装置２は、利用者が入力した１つの送信条件によって指定される画像受信装置６に、生成した画像情報を送信する。そして、画像情報の送信において異常が発生した場合、画像処理装置２は、異常の発生を通知する電子メールを利用者の情報処理端末４に送信する。そして、画像処理装置２は、利用者の情報端末４からの要求を受信すると、情報端末４の利用者に送信条件を再度入力させるためのインタフェースを提供するＨＴＭＬドキュメントを返信する。そして、画像処理装置２は、利用者によって再度入力された送信条件を情報端末４から受信して、画像情報の生成と送信を再度実行する。
【００４２】
なお、本発明は、本実施形態だけに適用されるものではない。
【００４３】
例えば、上記実施形態では、図６を見てもわかるように、制御部２１は、利用者が操作部２５を用いて入力した送信条件、すなわち利用者が画像処理装置２において直接入力した送信条件のすべてが再入力可能になるようにＨＴＭＬドキュメントを構成している。それゆえ、利用者は、直接入力した送信条件のすべてについて再入力が可能となっている。しかしながら、制御部２１は、必ずしも直接入力された送信条件のすべてが再入力可能となるようにＨＴＭＬドキュメントを構成しなくてもよい。例えば、制御部２１は、画像情報の送信において異常が発生した場合に、該異常の種類を特定するとともに、該特定した異常の種類に応じた送信条件の再入力が可能となるようにＨＴＭＬドキュメントを構成するようにしてもよい。
【００４４】
具体的には、異常信号のそれぞれについて、再入力可能な送信条件を予め定めておく。そして、制御部２１は、Ｓ１０５のステップにおいて異常信号を通信部２６が受信した場合に、該異常信号について予め定められた再入力可能な送信条件を特定するとともに、Ｓ１０７のステップにおいて、該特定された送信条件のみ再入力可能となるようにＨＴＭＬドキュメントを構成する。この場合、利用者は、該特定された送信条件についてのみ送信条件を再入力可能なので、送信条件指定情報には、該特定された送信条件について再入力された送信条件だけが含まれることになる。従って、制御部２１は、図７のフローチャート図に示す処理において、送信条件指定情報に含まれる送信条件と、記憶部２２に記憶される送信条件とに基づいて、画像情報の生成と送信を行う。
【００４５】
例えば、画像情報が表す原稿画像の画像サイズに受信側の装置が対応していない場合や、画像情報の情報量が大きいため受信側の装置のメモリ容量を超えた場合や、或いは、画像情報が表す原稿画像のカラーモードに受信側の装置が対応していない場合は、受信側の装置は画像情報を受信することができない。そして、この場合、画像情報が表す原稿画像の画像サイズやカラーモードを受信側の装置に対応するように変更したり、画像情報の情報量を少なくするために解像度を低くしたりすれば、画像情報の送信が正常に完了する可能性が高い。そこで、画像情報の受信ができない旨の異常信号について再入力可能な送信条件は、画像サイズと、解像度と、カラーモードであるものと予め定めておく。そして、Ｓ１０５のステップにおいて、通信部２６が同異常信号を受信した場合、制御部２１は、該異常信号について予め定められた再入力可能な送信条件（すなわち、画像サイズ、解像度、カラーモード）を特定するとともに、Ｓ１０７のステップにおいて、画像サイズと、解像度と、カラーモードとが再入力可能となるようにＨＴＭＬドキュメントを構成する。そして、制御部２１は、Ｓ２０３のステップにおいて、送信条件指定情報に含まれる、再入力された解像度、画像サイズ、カラーモードに応じて画像情報を生成する。そして、制御部２１は、Ｓ２０４において、Ｓ２０３のステップで生成した画像情報を、記憶部２２に記憶されている電話番号の画像受信装置６に送信する。
【００４６】
また、上記実施形態では、利用者に送信条件を再入力させるために、制御部２１は、電子メールに含まれるＵＲＬに対応した図６のインターフェイスを提供するＨＴＭＬドキュメントを情報端末４に送信している。しかしながら、制御部２１は、いわゆる電子フォームを電子メールに添付して情報端末４に送信するようにしてもよい。
【００４７】
また、上記実施形態では、利用者は、送信条件の再入力を情報端末４において行うようにしているが、送信条件の再入力を画像処理装置２においても行えるようにしてもよい。
【００４８】
また、上記実施形態では、送信条件を、原稿画像の送信先の電話番号、解像度、画像サイズ、カラーモードとしているが、これだけに限らない。例えば、画像情報を送信するときの通信形式を送信条件として入力するようにしてもよい（例えば、Ｇ３形式、Ｇ４形式、インターネットＦＡＸ形式から１つの通信形式を選択）。
【００４９】
また、本発明に係る画像処理装置２は、例えば、ＴＣＰ／ＩＰ通信網等の通信手段を介して、ファイルサーバ等の情報システムに画像情報を登録するネットワークスキャナや複合機としても実現可能である。
【００５０】
すなわち、画像処理装置２は、画像情報の登録に異常が発生した場合に、利用者によって入力された画像情報の登録先情報（例えば、ファイルサーバのＩＰアドレスを含むフォルダパス）と、ファイルサーバへのログイン情報（ログインＩＤ及びパスワード）と、の少なくとも一方を利用者の情報端末において再入力させるようにしてもよい。
【００５１】
例えば、画像処理装置２は、ログインに失敗した旨を表わす情報をファイルサーバから受信した場合に、その旨を通知する電子メールを利用者の情報端末４に送信するようにしてもよい。そして、ログイン情報を再入力可能なインターフェイスを表示するＨＴＭＬドキュメントを利用者の情報端末に送信するようにしてもよい。また、例えば、画像処理装置２は、登録先情報が表すフォルダがない旨を表わす情報をファイルサーバから受信した場合に、その旨を通知する電子メールを利用者の情報端末４に送信するようにしてもよい。そして、登録先情報を再入力可能なインターフェイスを表示するＨＴＭＬドキュメントを利用者の情報端末４に送信するようにしてもよい。
【図面の簡単な説明】
【００５２】
【図１】本発明の実施形態に係る画像処理装置を含む画像送信システムの構成の一例を示す図である。
【図２】本発明の実施形態に係る画像処理装置の構成ブロック図の一例を示す図である。
【図３】本発明の実施形態に係る画像処理装置にて実行される処理の一例を示すフローチャート図である。
【図４】本発明の実施形態に係る画像処理装置に記憶される情報の一例を示す図である。
【図５】本発明の実施形態に係る画像処理装置から送信される電子メールの一例を示す図である。
【図６】本発明の実施形態に係る情報端末に表示されるインターフェイスの一例を示す図である。
【図７】本発明の実施形態に係る画像処理装置にて実行される処理の一例を示すフローチャート図である。
【符号の説明】
【００５３】
２  画像処理装置、４  情報端末、６  画像受信装置、８  ローカルエリアネットワーク、１０  ネットワーク、２１  制御部、２２  記憶部、２３  ストレージ部、２４  画像読取部、２５  操作部、２６  通信部、３０  入力欄、５０  指示ボタン、１００  画像送信システム。
【図１】
2008177995.tif 000003
【図２】
2008177995.tif 000004
【図３】
2008177995.tif 000005
【図４】
2008177995.tif 000006
【図５】
2008177995.tif 000007
【図６】
2008177995.tif 000008
【図７】
2008177995.tif 000009